(57)【要約】　　　（修正有）【課題】カラオケ装置において薄型で軽量化したモニタ受像機を用いることにより、カラオケキャビネットの上側面にモニタ受像機を着脱自在に載置して一体化することを可能とする。【解決手段】モニタ受像機にパネルディスプレイの液晶ディスプレイやプラズマディスプレイを用いて、カラオケ装置のカラオケキャビネットの上側面にモニタ受像機を上下方向にスライド自在に着脱自在、かつ、固定可能に載置し、スライドパイプと挿入バーとによりカラオケキャビネットとモニタ受像機とを一体化する。【選択図】図１
0003100003.tif 000002
【実用新案登録請求の範囲】
【請求項１】
歌声を歌声信号として入力するマイクチューナーと、
演奏音楽信号と歌声信号とを増幅してスピーカーから音声出力するアンプ部と、
前記マイクチューナーと前記アンプ部と映像信号を映像として再生し表示する映像表示手段とをシステム制御してコントロールするコマンダー部と、を内蔵したカラオケキャビネットと、
映像表示手段により再生された映像を外部に表示するモニター受像機と、
歌声をマイクチュナーに入力するマイクロフォンとからなるカラオケ装置において、
前記モニタ受像機が、フラットパネルディスプレイの液晶ディスプレイ又はプラズマディスプレイらなり、
該フラットパネルディスプレイが、前記ケキヤビネットの上側面に上下方向にスラド自在で、着脱自在に固定可能に取付けられてなることを特徴とするカラオケ装置。
【請求項２】
歌声を歌声信号として入力するマイクチューナーと、
演奏音楽信号と歌声信号とを増幅してスピーカーから音声出力するアンプ部と、
前記マイクチューナーと前記アンプ部と映像信号を映像として再生し表示する映像表示手段とをシステム制御してコントロールするコマンダー部と、を内蔵したカラオケキャビネットと、
映像表示手段により再生された映像を外部に表示するモニター受像機と、
歌声をマイクチュナーに入力するマイクロフォンとからなるカラオケ装置において、
前記モニタ受像機が、フラットパネルディスプレイの液晶ディスプレイ又はプラズマディスプレイらなり、
該フラットパネルディスプレイが、前記カラオケキヤビネットの上側面に上下方向にスラド自在で、着脱自在に固定可能かつ左右方向に回動可能に取付けられてなることを特徴とするカラオケ装置。
【請求項３】
歌声を歌声信号として入力するマイクチューナーと、
演奏音楽信号と歌声信号とを増幅してスピーカーから音声出力するアンプ部と、
前記マイクチューナーと前記アンプ部と映像信号を映像として再生し表示する映像表示手段とをシステム制御してコントロールするコマンダー部と、を内蔵したカラオケキャビネットと、
映像表示手段により再生された映像を外部に表示するモニター受像機と、
歌声をマイクチュナーに入力するマイクロフォンとからなるカラオケ装置において、
前記モニタ受像機が、フラットパネルディスプレイの液晶ディスプレイ又はプラズマディスプレイらなり、
該フラットパネルディスプレイが、前記カラオケキヤビネットの上側面に上下方向にスラド自在で、着脱自在に固定可能かつ左右方向に回動可能で起伏自在に取付けられてなることを特徴とするカラオケ装置。
【請求項４】
歌声を歌声信号として入力するマイクチューナーと、
演奏音楽信号と歌声信号とを増幅してスピーカーから音声出力するアンプ部と、
前記マイクチューナーと前記アンプ部と映像信号を映像として再生し表示する映像表示手段とをシステム制御してコントロールするコマンダー部と、を内蔵したカラオケキャビネットと、
映像表示手段により再生された映像を外部に表示するモニター受像機と、
歌声をマイクチュナーに入力するマイクロフォンとからなるカラオケ装置において、
前記モニタ受像機が、フラットパネルディスプレイの液晶ディスプレイ又はプラズマディスプレイらなり、
該フラットパネルディスプレイにおける映像表示画面の背面方向にスライドパイプが垂設され、
前記カラオケキヤビネットの上側面の背側面方向には挿入バーが突設され、該挿入バーが前記スライドパイプ内にスライド自在かつ固定可能で着脱自在に挿入されてなることを特徴とするカラオケ装置。
【請求項５】
カラオケキヤビネットの背側面両側上下方向に開閉支持脚を設け、該開閉支持脚がカラオケキヤビネットの背側面に開閉自在に設けられ前記カラオケキヤビネットの底面と前記開閉支持脚とにキャスターを軸止してなる請求項１、２、３、４のカラオケ装置。
【請求項６】
カラオケキヤビネットの背側面方向の上側面方向と底面方向とに嵌合凹部を穿設し、略コ字状で部材本体長さ方向に多数の取付用ネジ孔を穿孔した壁面固定用部材を前記カラオケキヤビネットの背側面方向の嵌合凹部に壁面固定用部材を着脱自在かつ固定可能に取付け壁面固定用部材によりカラオケキヤビネットを壁面に取付固定可能に設けてなることを特徴とする請求項１、２、３、４、５のカラオケ装置。
【考案の詳細な説明】
【技術分野】
【０００１】
　本考案は、カラオケ装置に関するものであり，特にカラオケ装置のモニタ受像が、液晶ディスプレイやプラズマディスプレイ等のフラットパネルディスプレイからなり、カラオケ装置の設置の為のスペースが小さくてすみ、カラオケ装置の設置や移動が容易なラカオケ装置に関するものである。
【背景技術】
【０００２】
　従来のカラオケ装置における映像表示装置としてのモニタ受像機は、鮮明な映像と共に歌詞内容を示す文字を順次に表示する為に、一定面積以上の映像画面を得るためにモニタ受像機としては、ブラウン管方式によるものが一般的であり、この種のカラオケ装置における映像表示装置としてのモニタ受像機をブラウン管方式によるものにおいては、モニタ受像機の映像画面を任意の角度から見ても表示された映像と共に順次に表示される歌詞の文字表示が、視認出来にくくなる部分が存在するというような不都合が全くなく、鮮明で安定した映像表示が得られるものであり、しかも、比較的大きな面積の映像画面を得るために、カラオケ装置における映像表示装置としてのモニタ受像機として実用上十分であった。
【０００３】
　しかし、カラオケ装置は、ホテルや旅館等の大宴会場におけるカラオケ装置やカラオケ専門施設のカラオケ装置の如く、相当大規模に大きなスペースをもって設備されている場合は、従来のカラオケ装置における映像表示装置としてのモニタ受像機としてブラウン管方式によるものであっても、カラオケ装置の設置におけるスペース上の問題は余り大きくはないが，現在においてはカラオケ装置は、あらゆる場所や一般家庭にさえも広く普及しており，この種のホテルや旅館等の大宴会場やカラオケ専門施設のみではなく、娯楽目的に人々が複数人集まる場所においては、殆んどの場所に設置されているともいえる程度に普及しており、特に，客席が４〜６個程度の比較的小規模のバーやスナック等と称されるところの所謂飲食店やカラオケボックスと称する店舗において設置されているカラオケ装置においては，すなわち、カラオケ装置の設置スペースの余裕が無い手狭の客席の店舗やカラオケボックス等では、ブラウン管方式によるモニタ受像機によるときは、モニタ受像機のみのために相当大きな設置スペースを必要とし、また、ブラウン管はその機能・構造上奥行きが大きく、長時間の使用により相当高温度に発熱し，かつ、全体の重量も大きいためにモニタ受像機を誤って転倒した場合には思わぬ事故や怪我を惹起し、しかも、お店全体のイメージや景観や雰囲気を損ねる恐れがあるとい欠点があった。
【０００４】
　また従来のカラオケ装置におけるブラウン管方式によるモニタ受像機においては、ブラウン管の機能・構造上その表示画面を大きくすればする程、必然的にモニタ受像機の奥行きが大きくなり、かつ、全体の重量も大きくなってまい、モニタ受像機のみで相当の設置スペースを必要とし、このためカラオケ装置の入力装置のマイクロフォンや映像表示装置としてのモニタ受像機を除いたカラオケ装置の主要部たるアンプ部やコマンダ部を、ボックス型のカラオケキャビネットに一体に収納し内蔵することにより、折角コンパクト化しても、このカラオケキャビネット上にモニタ受像機を載せて一体化して設置することはできず，このめに、カラオケキャビネットとは別個に分離して独立状態に、モニタ受像機のみを設置し、これを支えるためのシステムラックやフロアーラックを必要とするという問題があった。
【０００５】
　この改善策として、カラオケ装置の映像表示装置としてのモニタ受像機にフラットパネルディスプレイとして液晶ディスプレイやプラズマディスプレイを用いる方法が提案されいる。
しかながら、この種のカラオケ装置の映像表示装置としてのモニタ受像機にフラットパネルディスプレイとして液晶ディスプレイやプラズマディスプレイを用いたものにおいては、単に、従来のブラウン管方式によるモニタ受像機に代えて、この種のフラットパネルディスプレイとして液晶ディスプレイやプラズマディスプレイを用いたものに過ぎず，さらに、カラオケ装置の主要部たるアンプ部やコマンダ部を一体に収納し内蔵したボックス型のカラオケキャビネットの上側面に、単に別個独立して載置したものに過ぎず，相当の高さの通常は１メートル前後の高さを有するカラオケキャビネットの上側面に、単に別個独立して載置したもにあっては，誤って身体や物に接触し、或いは地震等の自然的に発生する振動や工事等の人工的な振動により、カラオケキャビネット上に載置した薄型で比較的軽量化されたフラットパネルディスプレイとしての液晶ディスプレイやプラズマディスプレイのモニタ受像機が、転落し破損して予期せぬ事故や故障や火災や人身の怪我等が発生する恐れがあった。
【特許文献１】特開２００１−８３９４５号公報
【考案の開示】
【考案が解決しようとする課題】
【０００６】
　解決しようとする問題点は、従来のカラオケ装置におけるブラウン管方式によるモニタ受像機においては、ブラウン管の機能・構造上、長時間の使用により相当高温の発熱を伴い、また、相当の全体の重量を有し、しかも相当大きな設置スペースを必要とし、このためカラオケキャビネット上に直接に載せて設置することができず，ブラウン管方式によるモニタ受像機のみを別個に設置し、そのためのシステムラックやフロアーラックを必要とするという問題と、ブラウン管方式に代えて、モニタ受像機にフラットパネルディスプレイとして液晶ディスプレイやプラズマディスプレイを用いたものにおいては、単に、カラオケキャビネットの上側面に直接に、単に、別個独立して載置したものに過ぎないから、誤って接触したり地震等の振動によりカラオケキャビネット上から転落したりする問題があり，しかも、モニタ受像機の高さや角度を調節することができず、モニタ受像機を載置したカラオケキャビネット全体を設置場所から任意の位置に容易に移動することができず、しかも、人や物等による接触や地震等によって転倒する恐れがあるという点である。
【課題を解決するための手段】
【０００７】
　本考案は、カラオケ装置におけるモニタ受像機を、フラットパネルディスプレイの液晶ディスプレイ又はプラズマディスプレイを用いることにより、カラオケ装置のアンプ部やコマンダー等の主要部を収納し内蔵したボックス型のカラオケキャビネットの上側面に直接に、上下方向にスライド自在で着脱自在、かつ、固定可能に設けたことを主要な特徴とする。
【０００８】
　さらに、本考案は、歌声を歌声信号として入力するマイクチューナーと、演奏音楽信号と歌声信号とを増幅してスピーカーから音声出力するアンプ部と、前記マイクチューナーと前記アンプ部と映像信号を映像として再生し表示する映像表示手段とをシステム制御してコントロールするコマンダー部と、を内蔵したカラオケキャビネットと、映像表示手段により再生された映像を外部に表示するモニター受像機と、歌声をマイクチュナーに入力するマイクロフォンとからなるカラオケ装置において、前記モニタ受像機が、フラットパネルディスプレイの液晶ディスプレイ又はプラズマディスプレイらなり、該フラットパネルディスプレイが、前記カラオケキヤビネットの上側面に上下方向にスラド自在で、着脱自在に固定可能かつ左右方向に回動可能に取付けられてなるものである。
【０００９】
　また、本考案は、歌声を歌声信号として入力するマイクチューナーと、演奏音楽信号と歌声信号とを増幅してスピーカーから音声出力するアンプ部と、前記マイクチューナーと前記アンプ部と映像信号を映像として再生し表示する映像表示手段とをシステム制御してコントロールするコマンダー部と、を内蔵したカラオケキャビネットと、映像表示手段により再生された映像を外部に表示するモニター受像機と、歌声をマイクチュナーに入力するマイクロフォンとからなるカラオケ装置において、前記モニタ受像機が、フラットパネルディスプレイの液晶ディスプレイ又はプラズマディスプレイらなり、該フラットパネルディスプレイが、前記カラオケキヤビネットの上側面に上下方向にスラド自在で、着脱自在に固定可能かつ左右方向に回動可能で起伏自在に取付けられてなることを特徴とするものである。
【００１０】
　本考案は、歌声を歌声信号として入力するマイクチューナーと、演奏音楽信号と歌声信号とを増幅してスピーカーから音声出力するアンプ部と、前記マイクチューナーと前記アンプ部と映像信号を映像として再生し表示する映像表示手段とをシステム制御してコントロールするコマンダー部と、を内蔵したカラオケキャビネットと、映像表示手段により再生された映像を外部に表示するモニター受像機と、歌声をマイクチュナーに入力するマイクロフォンとからなるカラオケ装置において、前記モニタ受像機が、フラットパネルディスプレイの液晶ディスプレイ又はプラズマディスプレイらなり、該フラットパネルディスプレイにおける映像表示画面の背面方向にスライドパイプが垂設され、前記カラオケキヤビネットの上側面の背側面方向には挿入バーが突設され、該挿入バーが前記スライドパイプ内にスライド自在かつ固定可能で着脱自在に挿入されてなることを特徴とするものである。
【００１１】
　本考案は、カラオケキヤビネットの背側面両側上下方向に開閉支持脚を設け、該開閉支持脚がカラオケキヤビネットの背側面に開閉自在に設けられ前記カラオケキヤビネットの底面と前記開閉支持脚とにキャスターを軸止してなるものである。
【００１２】
　本考案は、カラオケキヤビネットの背側面方向の上側面方向と底面方向とに嵌合凹部を穿設し、略コ字状で部材本体長さ方向に多数の取付用ネジ孔を穿孔した壁面固定用部材を前記カラオケキヤビネットの背側面方向の嵌合凹部に壁面固定用部材を着脱自在かつ固定可能に取付け壁面固定用部材によりカラオケキヤビネットを壁面に取付固定可能に設けてなることを特徴とするものである。
【考案の効果】
【００１３】
　本考案のカラオケ装置は、カラオケ装置におけるモニタ受像機を、フラットパネルディスプレイの液晶ディスプレイ又はプラズマディスプレイを用いることにより、カラオケ装置のアンプ部やコマンダー等の主要部を収納し内蔵したボックス型のカラオケキャビネットの上側面に直接に載置でき、かつ、モニタ受像機をカラオケキャビネットの上側面で、上下方向にスライド自在で着脱自在、かつ、固定可能に設けたものであり、しかも、モニタ受像機が薄型で奥行が短く比較的に軽量であるから、アンプ部やコマンダー等の主要部を収納し内蔵した奥行の短い薄型のボックス型のカラオケキャビネットの上側面に自由に直接に載置でき、しかも、カラオケキャビネットの上側面に上下方向にスライド自在で着脱自在かつ固定可能に設けることができるから、設置スペースの狭小な店舗内でも、カラオケ装置を容易に設置でき，モニタ受像機の高さを自由に上下方向にスライド調節でき、必要に応じて取り付け取り外したり固定したり、或いは、画面角度を自由に変更できるので、モニタ受像機の映像画面を見えやすい任意の位置や方向に自由に変更できるという優れた利点がある。
【００１４】
　本考案のカラオケ装置は、カラオケキャビネットの上側面に直接に載置されたモニタ受像機が、上下方向にスライド自在で着脱自在に固定可能、かつ、左右方向に回動可能に、しかも起伏自在に取り付けられているから，モニタ受像機の映像画面を、見えやすい位置や方向に任意に上下方向に高さを変えて調節したり、角度を自由に変えて調節し、使用しない場合や移動したり、取り替えたりする場合には、カラオケキャビネットから自由に取り外したり、取り付けたりすることができ、カラオケ装置の使用・不使用に応じてモニタ受像機をカラオケキャビネットの上側面において起立したり、倒伏したり自由に利用できるという効果がある。
【００１５】
　カラオケキャビネットの背側面方向に挿入バーが突設され該挿入バーが、モニタ受像機の映像画面と反対方向の背側面方向に錘設されたスライドパイプ内に、スライド自在かつ固定化可能で着脱自在に挿入されているから，モニタ受像機をカラオケキャビネットの上側面に着脱自在に載置するのが容易にでき、しかも、モニタ受像機とカラオケキャビネットとが、挿入バーとスライドパイプとで強固に連結されているから、カラオケ装置に人体や物が接触したり、地震等により大きな振動が発生しても、モニタ受像機が転落する等の恐れがないという優れた効果がある。
【００１６】
　カラオケキャビネットの背側面両側に開閉支持脚が開閉自在に設けられ、該開閉支持脚とカラオケキャビネットの底面とにキャスターが軸止されているから、設置されたカラオケ装置を任意の位置への移動が容易にでき、しかも、カラオケキャビネットの背側面両側に開閉支持脚を開いた状態に保持すれば，設置されたカラオケ装置の転倒が防止され、カラオケキャビネットの背側面両側に開閉支持脚を閉じた状態に保持すれば、カラオケ装置が、小さい設置スペースにより設置することができるという効果がある。
【００１７】
　多数の取付用ネジ孔を穿孔した壁面固定用部材が、カラオケキャビネットの背側面方向に着脱自在、かつ、固定可能に取付けられ、該壁面固定用部材によりカラオケキャビネットを壁面に取付固定可能に設けてなるものであるから、カラオケ装置のカラオケキャビネットが壁面に壁面固定用部材により強固に取付固定されているから、地震等の激しい振動や、誤って人体や物等が接触しても、転倒する恐れがないという優れた効果がある。
【考案を実施するための最良の形態】
【００１８】
　本考案は，カラオケ装置における映像表示装置たるモニタ受像機をカラオケャビネットに着脱自在に載置しカラオケ装置の設置スペースを小さくするという目的を、モニタ受像機をフラットパネルディスプレイの液晶ディスプレイやプラズマディスプレイとすることにより薄型で軽量化したモニタ受像機をカラオケキャビネットの上側面に上下方向にスライド自在で着脱自在かつ固定可能に載置して実現した。
【実施例１】
【００１９】
　図１は、本考案装置の１実施例を示す正面図であって、図２は図１の側面図であり、図３は図１の要部の一部の背面図である。
図中において符号の１は、カラオケ装置、２はカラオケキャビネット、３はモニタ受像機、４はコマンダー部、５はアンプ部、６はワイヤレスマイクチューナー、７は前面化粧パネル、８はモニタ受像機の背側面に垂設したスライドパイプ、９は、カラオケキャビネットの上側面、１０は、カラオケキャビネットの上側面の背側面方向に立設した挿入バー、である。
【００２０】
　カラオケ装置１は、映像音声の入出力装置や映像音声の記録装置等のカラオケ装置の主要部を収納し内蔵したプラスック製又は木製等の素材よりボックス型に形成したカラオケキャビネット２の上側面９に、映像表示装置としてモニタ受像機３としてブラウン管を全く用いていないところのパネルディスプレイである液晶ディスプレイ又はプラズマディスプレイを使用し、薄型で軽量化されたモニタ受像機３を用いることにより、従来、大型で重量の大きいブラウン管方式のモニタ受像機では、不可能であったところのカラオケキャビネット２とモニタ受像機３との一体化を実現したものである。
【００２１】
　カラオケキャビネット２とモニタ受像機３との一体化を図るために、実施例１の図１乃至図４において、カラオケキャビネット２の上側面９の両端方向で、かつ、背面方向に角型パイプ状のステンレス製等の金属パイプ状体或いはプラスチック製のパイプ状体の挿入バー１０を立設し、モニタ受像機３の背面１１の両端方向には、上下方向に角型パイプ状のステンレス製等の金属パイプ状体或いはプラスチック製のパイプ状体のスライドパイプ８を一体に固着しなり、前記挿入バー１０をスライドパイプ８内に挿脱自在に挿入し、スライドパイプ８に長さ方向に所定間隔に穿孔したネジ孔１２に固定ネジ１３を挿脱自在にネジ込んで、該固定ネジ１３によって、カラオケキャビネット２とモニタ受像機３とを一体に固定し、該固定ネジ１３を取り外すことによりカラオケキャビネット２から、モニタ受像機３を取り外し，また、挿入バー１０をスライドパイプ８内で上下方向にスライドさせることにより、モニタ受像機３の高さを調節するものである。
【００２２】
　カラオケキャビネット２とモニタ受像機３との一体化を図るために、カラオケキャビネット２の上側面９に立設した挿入バー１０は、上下方向の任意位置において起伏自在に自在継手により連結固定され、必要に応じてこの自在継手により、モニタ受像機３をカラオケキャビネット２の上側面９において起伏自在に設けることができる。
　このように実施例１おいては、カラオケキャビネット２とモニタ受像機３とが、一体化し、かつ、上下方向にスライド自在に、しかも固定可能で゜起伏自在に取り付けられるという効果がある。
【００２３】
　本考案のカラオケ装置１は、ユーザーからの演奏予約に応じて、モデム、公衆通信回線網、を介してホストへ演奏予約を送信し、ホストからモデム、公衆通信回線網を介して予約した演奏曲の音楽演奏データーを受信し、受信した音楽演奏データーに基づき映像表示装置たるモニタ受像機に映像を表示しながら、出力装置たるスピーカーから演奏曲の音声を出力するカラオケ演奏が可能にシステム化された一般的に利用されている、いわゆる通信カラオケシステムが組み込まれているものである。
【００２４】
　本考案のカラオケ装置１は、カラオケシステムとして一般的に利用されているものであり，カラオケシステムの主要な装置の全体をシステム制御するコマンダー部４と、ＭＩＤＩ音源部から出力された演奏音楽信号とマイクから送り込まれた歌い手の歌声をワイアレスマイクチューナ６介して送られた歌声信号とを合成し増幅して出力装置に出力するアンプ部５とを一つのボックス型に形成したカラオケキャビネット２内に一体に収納し内蔵し、コマンダー部４によりシステム制御されて映像再生装置から映像データら再生された映像信号として送信された映像信号を受信して映像表示する映像表示装置のモニタ受信機３とからなり、該モニタ受信機３が前記カラオケキャビネット２の上側面９上に着脱自在に固定可能に一体化して設けられてなるものである。
【００２５】
　この様に本考案のカラオケ装置１は、コマンダー部４と、アンプ部５と、ワイアレスマイクチューナ６とをカラオケキャビネット２内に一体に収納し内蔵し、該カラオケキャビネット２の上側面９上にモニタ受信機３を取り付け取り外し自在で固定可能に一体化してなるものであり、
　コマンダー部４は、カラオケシステム全体を制御するマイクロプロセッサ等により構成され、各種入出装置の制御、メモリー管理及びデータ処理を行うものであり、ＶＴＲやビデオＣＤブレーヤ、ＬＤ２プレーヤ、ＤＶＤプレーヤ、ＭＰＥＧプレーヤなどの映像再生装置がコマンダー部４によるシステム制御してコントロールすることにより、記憶装置のビデオテープや各種ディスクに記録されている映像データから映像信号を再生して出力し、スーパーインポーズ部はコマンダー部４の制御により、記憶装置にメモリーされたフォントデータや色変情報に基づいて、映像再生装置から送信される映像信号に歌詞映像を合成して映像表示装置へ出力する。
　コマンダー部４によりシステム制御してコントロールされる操作部はリモコン、コントロールパネルなどにより選曲したり、カラオケ装置の各種状態を設定するための命令指示を入力するものであり、演奏曲の選曲にはリモコンと選曲のコントロールパネルとが一体に構成され、リモコン自体に演奏曲目次がメモリされ、このリモコン操作により選曲が可能に構成されたデンモク（登録商標名）が用いられる。
　記憶装置はコマンダー部４の制御により各種のデーターを記憶し、ＭＩＤＩ音源部はコマンダー部４の制御により記憶装置にメモリーされたカラオケ演奏曲データー中のＭＩＤＩデータが供給され、演奏音信号として出力する。
【００２６】
　アンプ部５は、ＭＩＤＩ音源部から出力された演奏音楽信号とワイアレスマイクチューナー６を介してマイクから取り込まれた歌い手の音声とを合成及び増幅してスピーカに出力し、スピーカーがアンプ部５から出力れた合成信号を可聴音として外部へ発音するものである。
【実施例２】
【００２７】
　図５乃至図８は、実施例２を示すものであり、の両側方向に略三角形状に形成したプラスチック製又は木製等の適宜な素材により平板状の開閉脚１５が、開閉自在に軸止され、該開閉脚１５の下方先端方向１６とカラオケキャビネット２の底部１７には、ゴム車輪のキャスター１８が軸支されている。
　カラオケキャビネット２の背面１４の開閉脚１５を開いた状態に保持することにより、薄型で高さの高いカラオケキャビネット２に、モニタ受像機３を一体に載置したカラオケ
装置１でも、人体や物が接触しても容易に転倒しないように保持することができ，また、カラオケ装置１を移動するには、開閉脚１５の下方先端方向１６とカラオケキャビネット２の底部１７に軸支されたキャスター１８により、僅かな力を加えることによって、任意の位置に移動することができ、さらに、設置スペースの狭い場所においては、カラオケキャビネット２の背面１４の開閉脚１５を閉じた状態に保持することにより、壁面等にピッタリと密着させて収納することができる。
【００２８】
　実施例２おいては、カラオケキャビネット２の背面１４に、開閉自在に軸止された開閉脚１５を開いた状態に保持することにより、開いた状態に保持した開閉脚１５が、カラオケ装置１の転倒を防止する効果があり、また、開閉脚１５とカラオケキャビネット２の底部１７に軸支したキャスター１８を利用して、カラオケ装置１を容易に移動することができ、さらに、開閉脚１５を折り畳み閉じることにより、壁面等に密着させて収納することができるという効果がある。
【実施例３】
【００２９】
　図１０乃至図１１は、実施例３を示すものであり，カラオケキャビネット２の背面１４の上下方向たる上側面９方向と底面１７方向とに、略逆コ字状に穿設した嵌合凹部１８内に、略コ字状に形成した強靭な金属製又はプラスック製等の適宜な素材製の壁面固定部材２０の上下方向の水平方向に突出した挿入固定端部２１が、前記嵌合凹部１９内に挿脱自在に嵌合されている。
　壁面固定部材２０の上下方向の挿入固定端部２１には、ピン挿入孔２２が穿孔され、壁面固定部材２０の長さ方向たる上下方向には、多数の取付用ネジ孔２３が多数個が適宜間隔に穿孔されており、カラオケキャビネット２の上下方向に設けた嵌合凹部１９内には、固定用ピン２４が各々垂下して突設されており、該固定用ピン２４が、前記嵌合凹部１９内に挿脱自在に嵌合された挿入固定端部２１のピン挿入孔２２内に挿脱自在に挿入され、嵌合凹部１９内に壁面固定部材２０が固定して挿入される。
　カラオケ装置１を設置場所の壁面に固定するには、予め壁面固定部材２０を壁面に取付用ネジ孔２３に固定用ネジを用いてしっかりと固定する。
　次にカラオケ装置１のカラオケキャビネット２の背面１４方向を密接させながら、やや該カラオケキャビネット２を持ち上げるようにして、壁面固定部材２０の挿入固定端部２１を、嵌合凹部１９内に嵌合し挿入固定端部２１のピン挿入孔２２内に、固定用ピン２４を挿脱自在に挿入することにより、カラオケ装置１を壁面に強固に固定して取り付けるものである。
【００３０】
　図１０乃至図１１は、実施例３は、予め壁面に取り付け固定した壁面固定部材２０を、カラオケキャビネット２に穿設した嵌合凹部１９内に、前記壁面固定部材２０と挿入して固定され、カラオケ装置１が設置さしたスペースの壁面に強固に固定されるから，地震等の激げしい振動や人や物が接触したり衝突した場合でも、カラオケ装置１が壁面に固定されて転倒する恐れがなく安全に役立つという効果がある。
【産業上の利用可能性】
【００３１】
　モニタ受像機に薄型で軽量化した液晶ディスプレイやプラズマディスプレイ等のパネルディスプレイを用いることにより、キャビネットの上側面にモニタ受像機を上下方向にスライド自在に着脱自在、かつ、固定可能に載置するものであるから、この種のカラオケ装置における映像音声入出力装置等の主要装置を収納したキャビネットとモニタ受像機とを一体に取り付け取り外し自在に設けたものであるから、設置スペースが狭くて設置が極めて困難な場所にも容易に設置することができ，しかも、壁面固定部材により強固に固定されるから地震等による激震振動や、人体や物体が接触したり工事等による人為的原因による振動や衝突・衝撃等によっても転倒することがなく安全であるから、あらゆる用途にも利用できる。
【図面の簡単な説明】
【００３２】
【図１】本考案のカラオケ装置の実施例を示す正面図である。（実施例１）
【図２】本考案のカラオケ装置の実施例を示す側面図である。（実施例１）
【図３】本考案のカラオケ装置の実施例を示す要部の背面図である。（実施例１）
【図４】開閉脚とキャスターを設けた実施例を示す背面図である。（実施例２）
【図５】開閉脚とキャスターを設けた実施例を示す側面図である。（実施例２）
【図６】開閉脚を開らいた状態の実施例を示した側面図である。（実施例２）
【図７】開閉脚を開らいた状態の実施例を示した平面図である。（実施例２）
【図８】壁面固定部材で固定した状態の実施例を示した説明図である。（実施例３）
【図９】壁面固定部材で固定した状態の実施例を示した説明図である。（実施例３）
【図１０】壁面固定部材の実施例を示した斜視図である。（実施例３）
【図１１】壁面固定部材の実施例を示した要部図である。（実施例３）
【図１２】本考案のカラオケ装置のブロック図である。
【符号の説明】
【００３３】
　１　　カラオケ装置
　２　　カラオケキャビネット
　３　　モニタ受像機
　４　　コマンダー部
　５　　アンプ部
　６　　ワイヤレスマイクューナー
　７　　前面化粧パネル
　８　　スライドパイプ
　９　　カラオケキャビネットの上側面
　１０　　挿入バー
　１１　　モニタ受像機の背面
　１２　　ネジ孔
　１３　　固定ネジ
　１４　　カラオケキャビネットの背面
　１５　　開閉脚
　１６　　開閉脚の下方先端部
　１７　　カラオケキャビネットの底部
　１８　　キャスター
　１９　嵌合凹部
　２０　　壁面固定部材
　２１　　挿入固定端部
　２２　　ピン挿入孔
　２３　　取付用ネジ孔
　２４　　固定用ピン
　Ａ　壁面
【図１】
0003100003.tif 000003
【図２】
0003100003.tif 000004
【図３】
0003100003.tif 000005
【図４】
0003100003.tif 000006
【図５】
0003100003.tif 000007
【図６】
0003100003.tif 000008
【図７】
0003100003.tif 000009
【図８】
0003100003.tif 000010
【図９】
0003100003.tif 000011
【図１０】
0003100003.tif 000012
【図１１】
0003100003.tif 000013
【図１２】
0003100003.tif 000014
【手続補正書】
【提出日】平成15年8月27日(2003.8.27)
【手続補正１】
【補正対象書類名】実用新案登録請求の範囲
【補正対象項目名】請求項１
【補正方法】変更
【補正の内容】
【請求項１】
歌声を歌声信号として入力するマイクチューナーと、
演奏音楽信号と歌声信号とを増幅してスピーカーから音声出力するアンプ部と、
前記マイクチューナーと前記アンプ部と映像信号を映像として再生し表示する映像表示手段とをシステム制御してコントロールするコマンダー部と、を内蔵したカラオケキャビネットと、
映像表示手段により再生された映像を外部に表示するモニター受像機と、
歌声をマイクチュナーに入力するマイクロフォンとからなるカラオケ装置において、
前記モニタ受像機が、フラットパネルディスプレイの液晶ディスプレイ又はプラズマディスプレイからなり、
該モニタ受像機が、前記カラオケキャビネットの上側面に上下方向にスラド自在で、着脱自在に固定可能に取付けられてなることを特徴とするカラオケ装置。
【手続補正２】
【補正対象書類名】実用新案登録請求の範囲
【補正対象項目名】請求項２
【補正方法】変更
【補正の内容】
【請求項２】
歌声を歌声信号として入力するマイクチューナーと、
演奏音楽信号と歌声信号とを増幅してスピーカーから音声出力するアンプ部と、
前記マイクチューナーと前記アンプ部と映像信号を映像として再生し表示する映像表示手段とをシステム制御してコントロールするコマンダー部と、を内蔵したカラオケキャビネットと、
映像表示手段により再生された映像を外部に表示するモニター受像機と、
歌声をマイクチュナーに入力するマイクロフォンとからなるカラオケ装置において、
前記モニタ受像機が、フラットパネルディスプレイの液晶ディスプレイ又はプラズマディスプレイからなり、
該モニタ受像機が、前記カラオケキャビネットの上側面に上下方向にスラド自在で、着脱自在に固定可能かつ左右方向に回動可能に取付けられてなることを特徴とするカラオケ装置。
【手続補正３】
【補正対象書類名】実用新案登録請求の範囲
【補正対象項目名】請求項３
【補正方法】変更
【補正の内容】
【請求項３】
歌声を歌声信号として入力するマイクチューナーと、
演奏音楽信号と歌声信号とを増幅してスピーカーから音声出力するアンプ部と、
前記マイクチューナーと前記アンプ部と映像信号を映像として再生し表示する映像表示手段とをシステム制御してコントロールするコマンダー部と、を内蔵したカラオケキャビネットと、
映像表示手段により再生された映像を外部に表示するモニター受像機と、
歌声をマイクチュナーに入力するマイクロフォンとからなるカラオケ装置において、
前記モニタ受像機が、フラットパネルディスプレイの液晶ディスプレイ又はプラズマディスプレイからなり、
該モニタ受像機が、前記カラオケキャビネットの上側面に上下方向にスラド自在で、着脱自在に固定可能かつ左右方向に回動可能で起伏自在に取付けられてなることを特徴とするカラオケ装置。
【手続補正４】
【補正対象書類名】実用新案登録請求の範囲
【補正対象項目名】請求項４
【補正方法】変更
【補正の内容】
【請求項４】
歌声を歌声信号として入力するマイクチューナーと、
演奏音楽信号と歌声信号とを増幅してスピーカーから音声出力するアンプ部と、
前記マイクチューナーと前記アンプ部と映像信号を映像として再生し表示する映像表示手段とをシステム制御してコントロールするコマンダー部と、を内蔵したカラオケキャビネットと、
映像表示手段により再生された映像を外部に表示するモニター受像機と、
歌声をマイクチュナーに入力するマイクロフォンとからなるカラオケ装置において、
前記モニタ受像機が、フラットパネルディスプレイの液晶ディスプレイ又はプラズマディスプレイからなり、
該モニタ受像機における映像表示画面の背面方向にスライドパイプが垂設され、
前記カラオケキャビネットの上側面の背側面方向には挿入バーが突設され、該挿入バーが前記スライドパイプ内にスライド自在かつ固定可能で着脱自在に挿入されてなることを特徴とするカラオケ装置。
【手続補正５】
【補正対象書類名】実用新案登録請求の範囲
【補正対象項目名】請求項５
【補正方法】変更
【補正の内容】
【請求項５】
カラオケキャビネットの背側面両側上下方向に開閉支持脚を設け、該開閉支持脚がカラオケキャビネットの背側面に開閉自在に設けられ前記カラオケキャビネットの底面と前記開閉支持脚とにキャスターを軸止してなる請求項１、２、３、４のカラオケ装置。
【手続補正６】
【補正対象書類名】実用新案登録請求の範囲
【補正対象項目名】請求項６
【補正方法】変更
【補正の内容】
【請求項６】
カラオケキャビネットの背側面方向の上側面方向と底面方向とに嵌合凹部を穿設し、略コ字状で部材本体長さ方向に多数の取付用ネジ孔を穿孔した壁面固定用部材を前記カラオケキャビネットの背側面方向の嵌合凹部に壁面固定用部材を着脱自在かつ固定可能に取付け壁面固定用部材によりカラオケキャビネットを壁面に取付固定可能に設けてなることを特徴とする請求項１、２、３、４、５のカラオケ装置。